(57)【要約】      （修正有）【課題】靴シェイパーの装置であって、構造が合理的で、使用も簡単で、靴のスタイルとサイズに関わらずに定形できる液圧／気圧式靴シェイパーを提供する。【解決手段】液圧／気圧式靴シェイパーであって、足部形状の弾力性カプセル１を備え、弾力性カプセル１中には流体を充填し、弾力性カプセル１の後端には弾力性カプセル１内空間を加圧する加圧アセンブリ３が設けられており、加圧アセンブリ３は弾力性カプセル１に密封的に接続されていて、弾力性カプセル１を格子状フレーム２内空間に置く。弾力性カプセル１の中の流体が液体であり、加圧アセンブリ３が上下に移動できる電気加熱装置であり、液体に対して加圧でき、弾力性カプセル１が膨張して、同時に液体を加熱してシェイパーできる。【選択図】図１
0003211581.tif 000002
【実用新案登録請求の範囲】
【請求項１】
液圧／気圧式靴シェイパーであって、足部形状の弾力性カプセルを備え、前記弾力性カプセル中には流体を充填し、前記弾力性カプセルの後端には前記弾力性カプセル内空間を加圧する加圧アセンブリが設けられており、前記加圧アセンブリは前記弾力性カプセルに密封的に接続されている、ことを特徴とする液圧／気圧式靴シェイパー。
【請求項２】
前記弾力性カプセルの外周には、前記弾力性カプセルを支承する格子状フレームが設けられており、前記弾力性カプセルを前記格子状フレーム内空間に置く、ことを特徴とする請求項１に記載の液圧／気圧式靴シェイパー。
【請求項３】
前記格子状フレームには位置決めセルフロック機構が設けられており、前記加圧アセンブリには押圧緊締構造が設けられており、前記位置決めセルフロック機構は前記押圧緊締構造と協働して前記弾力性カプセルへの加圧に対して、圧力ロック及び減圧機能を完成する、ことを特徴とする請求項２に記載の液圧／気圧式靴シェイパー。
【請求項４】
前記流体が液体であり、前記加圧アセンブリは前記弾力性カプセルを加熱する上下移動可能な電気ヒータ装置である、ことを特徴とする請求項１〜３のいずれか１項に記載の液圧／気圧式靴シェイパー。
【請求項５】
前記流体が気体であり、前記加圧アセンブリは前記弾力性カプセルに空気を充填する空気充填装置である、ことを特徴とする請求項１〜３のいずれか１項に記載の液圧／気圧式靴シェイパー。
【請求項６】
前記格子状フレームの表面には、前記弾力性カプセルの膨張部位及び方向を規制することができるカバーが局所的に設けられている、ことを特徴とする請求項２又は３に記載の液圧／気圧式靴シェイパー。
【考案の詳細な説明】
【技術分野】
【０００１】
本発明は靴シェイパーの装置である。
【背景技術】
【０００２】
靴のスタイル、サイズが違うので、今まで靴のスタイルとサイズの変化に対する通用の定形装置がない。
【考案の概要】
【０００３】
本発明の目的は、構造合理で、使用簡単で、各スタイルとサイズに対する液圧／気圧式靴シェイパーを提供することである。
【０００４】
本発明の技術的な解決方法は以下のとおりです。
【０００５】
液圧／気圧式（すなわち液圧式あるいは気圧式）靴シェイパーであって、足部形状の弾力性カプセルを備え、弾力性カプセル中には流体を充填し、弾力性カプセルの後端には弾力性カプセル内空間を加圧する加圧アセンブリが設けられており、加圧アセンブリは弾力性カプセルに密封的に接続されていることを特徴とする。
【０００６】
弾力性カプセルを支承する格子状フレームが設けられており、弾力性カプセルを該格子状フレーム内空間に置く。
【０００７】
格子状フレームには位置決めセルフロック機構が設けられる。
【０００８】
加圧アセンブリには押圧緊締構造が設けられており、位置決めセルフロック機構は押圧緊締構造と協働して弾力性カプセルへの加圧に対して、圧力ロック及び減圧機能を完成する。
【０００９】
前記流体が液体であり、前記加圧アセンブリは弾力性カプセルを加熱する上下移動可能な電気ヒータ装置である。
【００１０】
前記流体が気体であり、前記加圧アセンブリは弾力性カプセルに空気を充填する空気充填装置である。
【００１１】
格子状フレームの表面には、弾力性カプセル膨張部位及び方向を規制することができるカバーが局所的に設けられている。
【００１２】
本発明の構造が合理であり、使用も簡単であり、違うスタイルとサイズの靴に対して定形できる。特に弾力性カプセルの中の流体が液体であり、加圧アセンブリが上下に移動できる電気加熱装置であれば、液体に対して加圧できて、弾力性カプセルが膨張して、同時に液体を加熱してシェイパーできる。
【図面の簡単な説明】
【００１３】
以下、図を用いて詳細に説明する。
【００１４】
【図１】図１は本発明の実施例の構造図である。
【００１５】
【図２】図２は使用するカバーの構造図である
【考案を実施するための形態】
【００１６】
具体的な実施方式
【００１７】
液圧／気圧式靴シェイパーであって、足部形状の弾力性カプセル１を備え、弾力性カプセル中には流体を充填し、弾力性カプセルの後端には弾力性カプセル内空間を加圧する加圧アセンブリ３が設けられる。
【００１８】
前記加圧アセンブリ３は弾力性カプセル１に密封的に接続されて、隙間が広い格子状フレーム２内空間に置かれている。
【００１９】
前記加圧アセンブリ３には押圧緊締構造４が設けられており、格子状フレーム２には位置決めセルフロック機構５が押圧緊締構造４と協働して弾力性カプセル１への加圧に対して、圧力ロック及び減圧機能を完成する。
【００２０】
前記格子状フレーム（金属あるいはプラスチックなどの硬い材料）は、弾力性カプセルを支承する。弾力性カプセルが圧力を受けて格子状フレームで膨張する。
【００２１】
前記流体が液体であり、前記加圧アセンブリは弾力性カプセルを加熱する上下移動可能な電気ヒータ装置であり、アイロンの効果を高める。
【００２２】
前記流体が気体であり、前記加圧アセンブリは弾力性カプセルに空気を充填する空気充填装置である。
【００２３】
靴の口の高さが違うので、格子状フレームの表面には、弾力性カプセルの変形部位及び方向を規制することができるカバーが局所的に設けられ、弾力性カプセルの膨張部位及び方向を規制することができ、部分の力で圧力と高さを靴に応用させる。
【００２４】
流体が液体として、使用時は手で加圧アセンブリ３を押圧し、下のほうに弾力性カプセル１を押し出し、押圧緊締構造４はセルフロック機構５と協働して、弾力性カプセル１の中の液体は圧力を受けて格子状フレーム２内空間で各方向に膨張して緊密的に接続される。ですから、電気加熱装置が設けられる加圧アセンブリ３の電流が動くとき、靴のスタイルとサイズの変化に関わらす、熱さと圧力は液体で靴及び靴の奥に運動していて、完璧なアイロンの効果がある。
【図１】
0003211581.tif 000003
【図２】
0003211581.tif 000004
【手続補正書】
【提出日】平成28年12月28日(2016.12.28)
【手続補正１】
【補正対象書類名】実用新案登録請求の範囲
【補正対象項目名】全文
【補正方法】変更
【補正の内容】
【実用新案登録請求の範囲】
【請求項１】
液圧／気圧式靴シェイパーであって、足部形状の弾力性カプセルを備え、前記弾力性カプセル中には流体を充填し、前記弾力性カプセルの後端には前記弾力性カプセル内空間を加圧する加圧アセンブリが設けられており、前記加圧アセンブリは前記弾力性カプセルに密封的に接続され、前記弾力性カプセルの外周には、前記弾力性カプセルを支承する格子状フレームが設けられており、前記弾力性カプセルを前記格子状フレーム内空間に置き、前記格子状フレームの表面には、前記弾力性カプセルの膨張部位及び方向を規制することができるカバーが局所的に設けられている、ことを特徴とする液圧／気圧式靴シェイパー。
【請求項２】
前記格子状フレームには位置決めセルフロック機構が設けられており、前記加圧アセンブリには押圧緊締構造が設けられており、前記位置決めセルフロック機構は前記押圧緊締構造と協働して前記弾力性カプセルへの加圧に対して、圧力ロック及び減圧機能を完成する、ことを特徴とする請求項１に記載の液圧／気圧式靴シェイパー。
【請求項３】
前記流体が液体であり、前記加圧アセンブリは前記弾力性カプセルを加熱する上下移動可能な電気ヒータ装置である、ことを特徴とする請求項１又は２に記載の液圧／気圧式靴シェイパー。
【請求項４】
前記流体が気体であり、前記加圧アセンブリは前記弾力性カプセルに空気を充填する空気充填装置である、ことを特徴とする請求項１又は２に記載の液圧／気圧式靴シェイパー。